(57)【要約】【課題】ボウル部内の浮遊系汚物を溜水内に沈めて排水管路内へと効率よく排出することができ、汚物排出性能を向上させることができる水洗大便器を提供する。【解決手段】本発明による水洗大便器１は、汚物受け面１６と、リム部１８と、凹部２０と、を備えたボウル部８と、ボウル部の左右方向を中心とした一方側に位置すると共にボウル部の前方へ向けて吐水し、リム部の内周面に沿って旋回する旋回流を形成する第１リム吐水部２２と、ボウル部の左右方向を中心とした他方側に位置すると共に、ボウル部の第１リム吐水部より下流側に位置し、リム部の内周面に洗浄水を吐水して第１リム吐水部による旋回流と同一方向の旋回流を形成する第２リム吐水部２４と、を有し、第１リム吐水部から吐水された洗浄水の主流Ｍはボウル部の前方側より凹部に流入し、第２リム吐水部から吐水された洗浄水の主流ｍはボウル部の側方側より凹部に流入し、主流Ｍに横方向から合流する。【選択図】図１６
2018013037.tif 000002
【特許請求の範囲】
【請求項１】
給水源から供給される洗浄水により便器を洗浄して汚物を排出する水洗大便器であって、
ボウル形状の汚物受け面と、上縁に位置するリム部と、上記汚物受け面の下方に形成された凹部と、を備え、この凹部が溜水水位より下方に位置する底面と、この底面と上記汚物受け面の下縁部とを接続する壁面と、を備えたボウル部と、
上記ボウル部の左右方向を中心とした一方側に位置すると共に上記ボウル部の前方へ向けて洗浄水を吐水し、上記リム部の内周面に沿って旋回する旋回流を形成する第１リム吐水部と、
上記ボウル部の左右方向を中心とした他方側に位置すると共に、上記ボウル部の第１リム吐水部より下流側に位置し、上記リム部の内周面に洗浄水を吐水して上記第１リム吐水部による旋回流と同一方向の旋回流を形成する第２リム吐水部と、
上記凹部にその入口が接続され汚物を排出する排水管路と、を有し、
上記ボウル部は、上記第１リム吐水部から吐水された洗浄水が上記ボウル部の前方側より上記凹部に流入する主流を形成するように構成され、上記第２リム吐水部から吐水された洗浄水が上記ボウル部の側方側より上記凹部に流入し、上記主流に横方向から合流するように構成されることを特徴としている水洗大便器。
【請求項２】
上記第２リム吐水部から吐水された洗浄水の大半は、上記ボウル部の側方側より上記凹部に流入する請求項１記載の水洗大便器。
【請求項３】
上記ボウル部の汚物受け面は、上記第２リム吐水部の下流付近における後方側領域に棚状に形成された後方側汚物受け面を備え、上記第２リム吐水部から吐水された洗浄水は、上記後方側汚物受け面上を流れることにより上記凹部の前方側領域へ導かれる請求項１又は２に記載の水洗大便器。
【請求項４】
上記棚状に形成された後方側汚物受け面の幅（Ｌ）と上記第２リム吐水部の幅（ｗ２）との比（Ｌ／ｗ２）は、２〜１０である請求項３記載の水洗大便器。
【請求項５】
上記凹部は、平面視で、上記底面が前側領域に形成されており、この底面の面積は、溜水面の面積の半分以上に設定されている請求項３又は４に記載の水洗大便器。
【請求項６】
上記ボウル部には、上記第１リム吐水部から吐水された洗浄水が上記リム部の内周面に沿って旋回するための導水路が形成され、この導水路は、上記第１リム吐水部から上記ボウル部の前方端に向かって下方へ徐々に傾斜し、この前方端から後方側に向かって上方へ徐々に傾斜するように形成されている請求項１乃至５の何れか１項に記載の水洗大便器。
【請求項７】
上記汚物受け面は、その後方側汚物受け面の中央部付近から上記ボウル部の前方端に向かって下方へ徐々に傾斜し、この前方端から後方側に向かって上方へ徐々に傾斜するように形成されている請求項６記載の水洗大便器。
【請求項８】
上記第１リム吐水部の開口は、縦長の扁平形状に形成されている請求項１乃至７の何れか1項に記載の水洗大便器。
【発明の詳細な説明】
【技術分野】
【０００１】
本発明は、水洗大便器に係わり、特に、ボウル部内の浮遊系汚物を溜水内に沈めて排水管路内へと効率よく排出することができ、汚物排出性能を向上させることができる水洗大便器に関する。
【背景技術】
【０００２】
従来から、例えば、特許文献１に記載されているように、リムの第１吐水部から吐水された洗浄水が 棚部に沿って流れ、旋回しながらボウル部の汚物受け面を洗浄してボウル部の底部に流入し、ゼットの第２吐水部から吐水された洗浄水が、ボウル部の底部に流下し、ボウル部内の溜水を上下に攪拌する水洗大便器が知られている。
一方、例えば、特許文献２に記載されているように、リムの第１吐水口及び第２吐水口の２つのリム吐水口のみから洗浄水が吐水され、ボウル部の汚物受け面上に旋回流となって供給される水洗大便器についても知られている。この水洗大便器では、第２吐水口から流出される洗浄水が、ボウル部の立ち面の後部から連続して後方側へ凸状に湾曲した面に沿って流下し、直接的に排水トラップの入口に向かって洗浄水が供給されるようになっている。
【先行技術文献】
【特許文献】
【０００３】
【特許文献１】特許第３９７５４８６号公報
【特許文献２】特開２０１１-１５７７３８号公報
【発明の概要】
【発明が解決しようとする課題】
【０００４】
しかしながら、上述した特許文献１の水洗大便器においては、溜水を上下に攪拌する第２吐水口を備えているために、浮遊系汚物を排出するには優れているものの、汚物受け面を洗浄する第１吐水口から吐水される水が少ないため、汚物受け面を洗浄するのに十分な洗浄を行うことができないという問題がある。
また、上述した特許文献２の水洗大便器においては、リムの第１吐水口及び第２吐水口の２つのリム吐水口から吐水される洗浄水により、汚物受け面の十分な洗浄を行うことができるものの、浮遊系汚物交じりの溜水を上下に攪拌することができないため、浮遊系汚物をうまく排出することができずに残存してしまうという問題がある。したがって、リムの第１吐水口及び第２吐水口のみから吐水される水洗大便器において、いかに溜水を上下に攪拌させるかについても解決するべき課題となっている。
【０００５】
そこで、本発明は、従来技術の問題や課題を解決するためになされたものであり、ボウル部内の浮遊系汚物を溜水内に沈めて排水管路内へと効率よく排出することができ、汚物排出性能を向上させることができる水洗大便器を提供することを目的としている。
【課題を解決するための手段】
【０００６】
上述した目的を達成するために、本発明は、給水源から供給される洗浄水により便器を洗浄して汚物を排出する水洗大便器であって、ボウル形状の汚物受け面と、上縁に位置するリム部と、上記汚物受け面の下方に形成された凹部と、を備え、この凹部が溜水水位より下方に位置する底面と、この底面と上記汚物受け面の下縁部とを接続する壁面と、を備えたボウル部と、上記ボウル部の左右方向を中心とした一方側に位置すると共に上記ボウル部の前方へ向けて洗浄水を吐水し、上記リム部の内周面に沿って旋回する旋回流を形成する第１リム吐水部と、上記ボウル部の左右方向を中心とした他方側に位置すると共に、上記ボウル部の第１リム吐水部より下流側に位置し、上記リム部の内周面に洗浄水を吐水して上記第１リム吐水部による旋回流と同一方向の旋回流を形成する第２リム吐水部と、上記凹部にその入口が接続され汚物を排出する排水管路と、を有し、上記ボウル部は、上記第１リム吐水部から吐水された洗浄水が上記ボウル部の前方側より上記凹部に流入する主流を形成するように構成され、上記第２リム吐水部から吐水された洗浄水が上記ボウル部の側方側より上記凹部に流入し、上記主流に横方向から合流するように構成されることを特徴としている。
このように構成された本発明においては、第１リム吐水部から吐水された洗浄水がボウル部の前方側から凹部に主流として流入し、この凹部に流入した主流に対して、第２リム吐水部から吐水された洗浄水が横方向から合流するため、凹部内の溜水を上下方向に効果的に攪拌することができる。したがって、ボウル部の汚物受け面について、第１リム吐水部及び第２リム吐水部のそれぞれから吐水された洗浄水で十分に洗浄することができ、凹部内で上下方向に攪拌する流れを発生させることができる。これらの結果、ボウル部内の浮遊系汚物を溜水内に沈めて排水管路内へと効率よく排出することができ、汚物排出性能を向上させることができる。
【０００７】
本発明において、好ましくは、上記第２リム吐水部から吐水された洗浄水の大半は、上記ボウル部の側方側より上記凹部に流入する。
このように構成された本発明においては、第１リム吐水部から吐水された洗浄水がボウル部の前方側から凹部に主流として流入し、この凹部に流入した主流に対して、第２リム吐水部から吐水された洗浄水の大半が横方向から合流するため、凹部内の溜水を上下方向により効果的に攪拌することができる。したがって、ボウル部の汚物受け面について、第１リム吐水部及び第２リム吐水部のそれぞれから吐水された洗浄水で十分に洗浄することができ、凹部内で上下方向に攪拌する流れを発生させることができる。これらの結果、ボウル部内の浮遊系汚物を溜水内に沈めて排水管路内へと効率よく排出することができ、汚物排出性能を向上させることができる。
【０００８】
本発明において、好ましくは、上記ボウル部の汚物受け面は、上記第２リム吐水部の下流付近における後方側領域に棚状に形成された後方側汚物受け面を備え、上記第２リム吐水部から吐水された洗浄水は、上記後方側汚物受け面上を流れることにより上記凹部の前方側領域へ導かれる。
このように構成された本発明においては、第２リム吐水部から吐水された洗浄水が、棚状に形成された後方側汚物受け面を流れることにより凹部の前方側領域へと導かれるため、第１リム吐水部からの主流に対して第２リム吐水部からの洗浄水を横方向から確実に合流させることができ、凹部内の溜水を上下方向に効果的に攪拌することができる。したがって、ボウル部の汚物受け面において、第１リム吐水部と第２リム吐水部のそれぞれから吐水された洗浄水で十分に洗浄することができ、凹部内で上下方向の攪拌する流れを発生させることができる。これらの結果、浮遊系汚物を溜水内に沈めて排水管路内へと効率よく排出することができ、汚物排出性能を向上させることができる。
【０００９】
本発明において、好ましくは、上記棚状に形成された後方側汚物受け面の幅（Ｌ）と上記第２リム吐水部の幅（ｗ２）との比（Ｌ／ｗ２）は、２〜１０である。
このように形成された本発明においては、棚状に形成された後方側汚物受け面の幅（Ｌ）と第２リム吐水部の幅（ｗ２）との比（Ｌ／ｗ２）が２〜１０であることにより、第２リム吐水部から吐水された洗浄水は、棚状に形成された後方側汚物受け面を流れて凹部の前方側領域へと導かれるため、第１リム吐水部からの主流に対して第２リム吐水部からの洗浄水を横方向から確実に合流させることができ、凹部内の溜水を上下方向に効果的に攪拌することができる。したがって、ボウル部の汚物受け面において、第１リム吐水部と第２リム吐水部のそれぞれから吐水された洗浄水で十分に洗浄することができ、凹部内で上下方向の攪拌する流れを発生させることができる。これらの結果、浮遊系汚物を溜水内に沈めて排水管路内へと効率よく排出することができ、汚物排出性能を向上させることができる。
【００１０】
本発明において、好ましくは、上記凹部は、平面視で、上記底面が前側領域に形成されており、この底面の面積は、溜水面の面積の半分以上に設定されている。
このように構成された本発明においては、平面視で凹部の前側領域に形成されている底面の面積が溜水面の面積の半分以上に設定されていることにより、第２リム吐水部から吐水された洗浄水は、凹部の底面に潜り込み、凹部の壁面に沿って上下方向に溜水を攪拌させる流れを効果的に形成することができる。したがって、ボウル部の汚物受け面について、第１リム吐水部及び第２リム吐水部のそれぞれから吐水された洗浄水で十分に洗浄することができ、凹部内で上下方向に攪拌する流れを発生させることができる。これらの結果、ボウル部内の浮遊系汚物を溜水内に沈めて排水管路内へと効率よく排出することができ、汚物排出性能を向上させることができる。
【００１１】
本発明において、好ましくは、上記ボウル部には、上記第１リム吐水部から吐水された洗浄水が上記リム部の内周面に沿って旋回するための導水路が形成され、この導水路は、上記第１リム吐水部から上記ボウル部の前方端に向かって下方へ徐々に傾斜し、この前方端から後方側に向かって上方へ徐々に傾斜するように形成されている。
このように構成された本発明においては、第１リム吐水部から吐水された洗浄水がリム部の内周面に沿って旋回するための導水路がボウル部に形成され、この導水路が、第１リム吐水部からボウル部の前方端に向かって下方へ徐々に傾斜し、この前方端から後方側に向かって上方へ徐々に傾斜するように形成されていることにより、第１リム吐水部からの洗浄水をボウル部の前方側から凹部に主流として効果的に流入させることができる。また、この凹部に流入する主流に対して、第２リム吐水部からの洗浄水が横方向から合流するために、凹部内の溜水を上下方向に効果的に攪拌することができる。したがって、ボウル部の汚物受け面において、第１リム吐水部と第２リム吐水部のそれぞれから吐水された洗浄水で十分に洗浄することができ、凹部内で上下方向の攪拌する流れを発生させることができる。これらの結果、浮遊系汚物を溜水内に沈めて排水管路内へと効率よく排出することができ、汚物排出性能を向上させることができる。
【００１２】
本発明において、好ましくは、上記汚物受け面は、その後方側汚物受け面の中央部付近から上記ボウル部の前方端に向かって下方へ徐々に傾斜し、この前方端から後方側に向かって上方へ徐々に傾斜するように形成されている。
このように構成された本発明においては、汚物受け面が、その後方側汚物受け面の中央部付近からボウル部の前方端に向かって下方へ徐々に傾斜し、この前方端から後方側に向かって上方へ徐々に傾斜するように形成されていることにより、第１リム吐水部からの吐水された洗浄水に加えて、第２リム吐水部から吐水された洗浄水の一部についても前方側から凹部に流入させることができる。
【００１３】
本発明において、好ましくは、上記第１リム吐水部の開口は、縦長の扁平形状に形成されている。
このように構成された本発明においては、第１リム吐水部の開口が、縦長の扁平形状に形成されていることにより、第１リム吐水部から吐水される洗浄水が汚物受け面に落ちてしまうことがなく、ボウル部の前方端まで旋回することができ、前方側から凹部に流入する主流を効果的に形成することができる。
【発明の効果】
【００１４】
本発明の水洗大便器によれば、ボウル部内の浮遊系汚物を溜水内に沈めて排水管路内へと効率よく排出することができ、汚物排出性能を向上させることができる。
【図面の簡単な説明】
【００１５】
【図１】本発明の一実施形態による水洗大便器を示す平面図である。
【図２】図１のＩＩ−ＩＩ線に沿って見た断面図である。
【図３】図１のＩＩＩ−ＩＩＩ線に沿って見た断面図である。
【図４】図１のＩＶ−ＩＶ線に沿って見た断面図である。
【図５】図１のＶ−Ｖ線に沿って見た断面図である。
【図６】図１のＶＩ−ＶＩ線に沿って見た断面図である。
【図７】図１のＶＩＩ−ＶＩＩ線に沿って見た断面図である。
【図８】図１のＶＩＩＩ−ＶＩＩＩ線に沿って見た断面図である。
【図９】図１のＩＸ−ＩＸ線に沿って見た断面図である。
【図１０】図１のＸ−Ｘ線に沿って見た断面図である。
【図１１】図１に示す本発明の一実施形態による水洗大便器の便器本体のボウル部を部分的に拡大した部分拡大平面図である。
【図１２】本発明の一実施形態による水洗大便器の第１吐水口の断面図である。
【図１３】本発明の一実施形態による水洗大便器の第２吐水口の断面図である。
【図１４】本発明の実施形態による水洗大便器の洗浄水の流れの様子を示す平面図である。
【図１５】図１４の断面図である。
【図１６】本発明の実施形態による水洗大便器の洗浄水の流れの様子を示す概略斜視図である。
【発明を実施するための形態】
【００１６】
つぎに、図１〜図１３を参照して、本発明の一実施形態による水洗大便器について説明する。
図１は、本発明の一実施形態による水洗大便器を示す平面図であり、図２は、図１のＩＩ−ＩＩ線に沿って見た断面図であり、図３は、図１のＩＩＩ−ＩＩＩ線に沿って見た断面図である。また、図４は、図１のＩＶ−ＩＶ線に沿って見た断面図であり、図５は、図１のＶ−Ｖ線に沿って見た断面図であり、図６は、図１のＶＩ−ＶＩ線に沿って見た断面図である。さらに、図７は、図１のＶＩＩ−ＶＩＩ線に沿って見た断面図であり、図８は、図１のＶＩＩＩ−ＶＩＩＩ線に沿って見た断面図である。
【００１７】
図１〜図３に示すように、水洗大便器１は、ボウル部内の水の落差による流水作用で汚物を押し流す洗い落し式便器であり、便器本体２と、この便器本体２を洗浄する洗浄水を貯水する貯水タンク４とを備えている。便器本体２は、表面に釉薬層が形成された陶器製であり、下部にスカート部６が形成され、上半分のうち前方にボウル部８が形成されている。また、ボウル部８の後方上部には、その上流端が貯水タンク４に連通する共通通水路１０が形成され、さらに、ボウル部８の後方下部に汚物を排出するための排水管路１２が形成されている。
【００１８】
上述した貯水タンク４は、洗浄水源であり、この貯水タンク４内には、排水弁１４が設けられており、操作レバー（図示せず）により開閉するようになっている。なお、本実施形態では、貯水タンク４を持たず水道から直接洗浄水が供給される直圧式水洗大便器や、フラッシュバルブにより洗浄水が供給されるタイプの水洗大便器等にも適用することができる。
【００１９】
ボウル部８は、ボウル形状の汚物受け面１６（詳細は後述する）と、上縁に位置するリム部１８と、汚物受け面１６の下方に形成された凹部２０（詳細は後述する）とを備えている。ここで、リム部１８の内周面１８ａは、図２〜図７に示すように、内側に向かってオーバハングした形状となっており、後述する旋回する洗浄水が外部へ飛び出ないようになっている。
【００２０】
ボウル部８のリム部１８の内周面の前方から見て左側の中央部の少し後方側に、洗浄水を吐水する第１吐水口２２（詳細は後述する）が形成され、前方から見て右側後方側（下流側）に、第２吐水口２４（詳細は後述する）が形成されている。これらの第１吐水口２２及び第２吐水口２４は、同一方向（図１では反時計回りの方向）に旋回し、後述する旋回流を形成するようになっている。
【００２１】
また、上述した水洗大便器１の後方上部に形成された共通通水路１０は、便器前方に向かって、第１通水路２６及び第２通水路２８に分岐している。第１通水路２６は、第１吐水口２２に洗浄水を供給するためのものであり、第２通水路２８は、第２吐水口２４に洗浄水を供給するためのものである。
なお、本実施形態の水洗大便器１においては、第１吐水口２２を含む第１通水路２６と、第２吐水口２４を含む第２通水路２８について、陶器製の便器本体２と一体に形成されている形態について説明するが、このような形態に限られず、第１吐水口を含む第１通水路と、第２吐水口を含む第２通水路については、便器本体とは別体のディストリビユータ等により形成するようにしても良い。
【００２２】
ここで、図２〜図７に示すように、本実施形態による水洗大便器１のボウル部８の汚物受け面１６は、排水管路１２の入口に向かった放射状の線に沿って、その全域において、上方に凸形状に形成されている。
【００２３】
さらに、図２及び図３に示すように、ボウル部８のリム部１８の内周面１８ａの下方領域には、洗浄水を導く導水路３０が形成されている。この導水路３０は、第１吐水口２２から吐水された洗浄水がリム部１８の内周面１８ａに沿って旋回するためのものであり、第１吐水口２２からボウル部８の前方端に向かって下方に徐々に傾斜し（図２参照）、この前方端から後方側に向かって上方へ徐々に傾斜している（図３参照）。第１吐水口２２から吐水された洗浄水は、この導水路３０に沿って旋回するので、後述するボウル部８の前方側より排水管路１２の導水管路３２の入口３２ａに向けて流れる大流量の主流Ｍ（詳細は後述する）を形成することができるようになっている。
【００２４】
つぎに、図２及び図３に示すように、排水管路１２は、凹部２０の底面と接続し且つ後方下方へ延びる導入管路３２と、この導入管路３２と接続し上方へ延びる排水トラップ管路３４とを備えている。また、排水トラップ管路３４は、上昇管路３４ａと下降管路３４ｂとから構成されている。
この導水管路３２は、凹部２０の底面と滑らかな連続湾曲面として繋がっており、凹部２０から導入管路３２に流入した洗浄水が導入管路３２内をスムーズに流れるようになっている。
【００２５】
つぎに、図１〜図７及び図９〜図１１により、ボウル部８における汚物受け面１６と凹部２０について詳細に説明する。
図９は、図１のＩＸ−ＩＸ線に沿って見た断面図であり、図１０は、図１のＸ−Ｘ線に沿って見た断面図であり、図１１は、図１に示す本発明の一実施形態による水洗大便器の便器本体のボウル部を部分的に拡大した部分拡大平面図である。
【００２６】
まず、図１〜図７及び図９〜図１１に示すように、汚物受け面１６は、その後方側汚物受け面１６ａの中央部Ｃ１付近からボウル部６の前方側汚物受け面１６ｂの前方端に向かって下方へ徐々に傾斜し、この前方端から後方側に向かって上方へ徐々に傾斜するように形成されている。
また、図２及び図７に示すように、後方側汚物受け面１６ａは、第２吐水口２４の下流付近における汚物受け面１６の後方側領域に棚状に形成されている。これにより、図１１に示されているように、第２吐水口２４から後方側汚物受け面１６ａの中央部Ｃ１付近に吐水された洗浄水の大半の流れｍは、後方側汚物受け面１６ａに沿って凹部２０の後方側を迂回し、凹部２０の側方側（凹部２０を前方側から見て左側）へ旋回し、凹部２０内に向かって横方向の流れを形成するようになっている。
この第２吐水口２４からの吐水の流れｍの洗浄水量は、第１吐水口２２から吐水される大流量の主流Ｍの洗浄水量よりも少なく設定されている。例えば、共通通水路１０を通過した洗浄水量の６０％〜９０％が第１通水路２６を経て第１吐水口２２から吐水され、共通通水路１０を通過した洗浄水量の１０％〜４０％が第２通水路２８を経て第２吐水口２４から吐水されるようになっている。
さらに、第２吐水口２４から吐水の大半の流れｍの洗浄水量は、第２吐水口２４から吐水される洗浄量全体に対して、ほぼ５０％以上の洗浄水量に設定されるのが好ましい。
また、第２吐水口２４から吐水された洗浄水の主流ｍの一部ｍ１については、第１吐水口２２から吐水されて前方側から凹部２０に大流量の主流Ｍとして流入する洗浄水に加えて、前方側から凹部２０に主流Ｍと共に流入することができるようになっている。
【００２７】
つぎに、図２、図３及び図１１に示すように、ボウル部８の凹部２０は、溜水水位Ｗより下方に位置する底面３６と、この底面３６と汚物受け面１６の下縁部とを接続する壁面３８とを備えている。また、この底面３６は、導水管路３２の入口３２ａから前側の領域（前側領域）に形成された前側底面４０と、導水管路３２の入口３２ａから後側の領域に形成された後側底面４２とを備えている。
【００２８】
凹部２０の底部３６の前側底面４０は、水平に形成されている。この前側底面４０は、後方に向けて下方に傾斜させてもよい。
また、凹部２０の前側底面４０は、この面の全領域が、溜水水位Ｗより下方に位置し、後側底面４２の下端４２ａよりも上方に位置するように形成されている。
【００２９】
凹部２０の底部３６の後側底面４２は、導入管路３２の前側領域へ指向し、内側に向けて下方に傾斜するように形成されている。また、凹部２０の後側底面４２は、この面の全領域が、溜水水位Ｗより下方に位置するように形成されている。なお、凹部２０の後側底面４２は、平坦面である必要はなく、上方に凸状に僅かに湾曲した湾曲面で形成してもよい。
【００３０】
つぎに、前側底面４０の面積Ａ１は、図１１に示す平面視において、溜水面Ｓの面積Ａ２の半分よりも大きく設定されている。これにより、図１１に示されているように、第２吐水口２４から後方側汚物受け面１６ａの中央部Ｃ１付近に吐水された洗浄水の大半の流れｍは、後方側汚物受け面１６ａに沿って凹部２０の後方側を迂回し、凹部２０の側方側（凹部２０を前方側から見て左側）へ旋回し、凹部２０内に向かって横方向の流れを形成するようになっている。そして、この洗浄水の横方向の流れｍは、凹部２０の左側壁面３８ａの上方付近から左側壁面３８ａに沿って前側底面４０に潜り込むようになっている。
また、この凹部２０内に潜り込んだ洗浄水の流れｍは、凹部２０の前側底面４０から右側壁面３８ｂに沿って上方に旋回し、上下方向に溜水を効果的に攪拌させる流れを形成するようになっている。そして、この流れｍは、第１吐水口２２から吐水されて前方側から凹部２０に流入する大流量の主流Ｍに合流するようになっている。
なお、本実施形態では、前側底面４０の面積Ａ１が、図１１に示す平面視において、溜水面Ｓの面積Ａ２の半分よりも大きく設定されて形態について説明するが、前側底面４０の面積Ａ１が溜水面Ｓの面積Ａ２の半分と等しくてもよく、要するに、前側底面４０の面積Ａ１については、溜水面Ｓの面積Ａ２の半分以上に設定すればよい。
【００３１】
つぎに、図１１〜図１３により、ボウル部８における第１吐水口２２と第２吐水口２４について詳細に説明する。
図１２は、本発明の一実施形態による水洗大便器の第１吐水口の断面図であり、図１３は、本発明の一実施形態による水洗大便器の第２吐水口の断面図である。
まず、図１２に示すように、第１吐水口２２の開口断面Ｄ１、及びこの第１吐水口２２の開口断面Ｄ１に至る第１通水路２６の流路断面は、第１通水路２６のほぼ全域に亘って縦長の扁平形状に形成されている。これにより、第１通水路２６を通過して第１吐水口２２から吐水された洗浄水は、吐水直後に大半が前方側汚物受け面１６ｂに落ちることなく、少なくともボウル部８内の前方端まで旋回することができるようになっており、ボウル部８内の前方側から凹部２０に流入する主流Ｍを効果的に形成することができるようになっている。
なお、第１吐水口２２の開口断面Ｄ１における最大の縦寸法ｈ１と最大の幅寸法ｗ１との比（ｈ１／ｗ１）は、１〜５に設定されているのが好ましく、１．５〜３に設定されているのがより好ましい。
【００３２】
また、図１３に示すように、第２吐水口２４の開口断面Ｄ２は、第１吐水口２２の開口断面Ｄ１よりも小さい大きさとなっているが、第１吐水口２２の開口断面Ｄ１と同様に、縦長の扁平形状に形成されている。これにより、第２通水路２８を通過して第２吐水口２４から吐水された洗浄水についても、第２吐水口２４の吐水直後に、大半が後方側汚物受け面１６ａから凹部２０内の後方領域に落ちることなく、凹部２０の左側壁面３８ａの上方付近まで旋回することができるようになっている。
なお、第２吐水口２４の開口断面Ｄ２における最大の縦寸法ｈ２と最大の幅寸法ｗ２との比（ｈ２／ｗ２）は、１〜５に設定されているのが好ましく、１．５〜３に設定されているのがより好ましい。
【００３３】
つぎに、図２、図３、図１１及び図１３に示すように、棚状に形成された後方側汚物受け面１６ａの中央部Ｃ１における前後方向の幅Ｌと第２吐水口２４の最大の幅寸法ｗ２との比Ｌ／ｗ２は、２〜１０に設定されているのが好ましく、３〜９に設定されているのがより好ましく、４〜８に設定されているのが最も好ましい。これにより、図１１に示されているように、第２吐水口２４から後方側汚物受け面１６ａの中央部Ｃ１付近に吐水された洗浄水の大半の流れｍは、後方側汚物受け面１６ａに沿って凹部２０の後方側を迂回し、凹部２０の側方側（凹部２０を前方側から見て左側）へ旋回し、凹部２０内に向かって横方向の流れを形成し、凹部２０の前方側領域へと導かれるようになっているため、第１吐水口２２からの主流Ｍに対して第２吐水口２４からの洗浄水の主流ｍを横方向から確実に合流させることができ、凹部２０内の溜水を上下方向に効果的に攪拌することができるようになっている。
【００３４】
つぎに、図１〜図１６を参照して、本実施形態による水洗大便器における洗浄動作を説明する。
図１４は本発明の実施形態による水洗大便器の洗浄水の流れの様子を示す平面図であり、図１５は図１４の断面図であり、図１６は本発明の実施形態による水洗大便器の洗浄水の流れの様子を示す概略斜視図である。
【００３５】
まず、使用者が貯水タンク４の操作レバー（図示せず）を操作すると、排水弁１４が開き、貯水タンク４内の洗浄水が、共通通水路１０に流れ、この共通通水路１０から分岐した第１通水路２６及び第２通水路２８を経て、第１吐水口２２及び第２吐水口２４のそれぞれから、洗浄水が吐水される。
【００３６】
第１吐水口２２から吐水された洗浄水は、ボウル部８のリム部１８の内周面１８ａに形成された導水路３０に沿って、まず、前方に向けて流れ、ボウル部８の前方端を通過した後は、後方に向けて流れる。このとき、洗浄水の一部は、旋回しながらボウル部８を落下し、汚物受け面１６を洗浄する。
【００３７】
また、第１吐水口２２から吐水され導水路３０に沿って流れる洗浄水の相当量は、ボウル部８の前方側より排水管路１２の導水管路３２の入口３２ａに向けて流れる大流量の主流Ｍを形成する（図１４及び図１６参照）。この主流Ｍの一部の流れＭ１は、凹部２０の底面３６の後側底面４２に衝突し、その後、導水管路３２内の前方領域に向けて斜め下方前方に流出する（図１５参照）。また、主流Ｍの他の一部の流れＭ２は、導水管路３２の入口３２ａに直接流入する（図１５参照）。
【００３８】
ここで、本実施形態においては、洗浄水がリム部１８の内周面１８ａに沿って旋回するための導水路３０が形成され、この導水路３０が第１吐水口２２からボウル部８の前方端に向かって下方へ徐々に傾斜し、前方端から後方側に向かって上方へ徐々に傾斜するように形成されているので、大流量の主流Ｍを形成することができる。また、この主流Ｍの一部Ｍ１が凹部２０の底面３６の後側底面４２に衝突し、この衝突した主流の一部Ｍ１が導水管路３２内の前方領域に向けて流れる。特に、底面３６の後側底面４２は、内側に向けて下方に傾斜するように形成されているため、この後側底面４２に衝突した主流の一部の流れＭ１を導水管路３２の前側領域に向けてスムーズに導くことができる。また、導水管路３２内の後方領域には、洗浄水の主流の他の一部の流れＭ２が流入する。
【００３９】
一方、第２吐水口２４から吐水された洗浄水は、旋回しながらボウル部８を落下し、汚物受け面１６の後方領域を洗浄する。さらに、図１４〜図１６に示すように、第２吐水口２４から後方側汚物受け面１６ａの中央部Ｃ１付近に吐水された洗浄水の大半の流れｍは、後方側汚物受け面１６ａに沿って凹部２０の後方側を迂回し、凹部２０の側方側（凹部２０を前方側から見て左側）へ旋回し、凹部２０内に向かって横方向の流れを形成する。
【００４０】
また、図１４に示すように、第２吐水口２４から吐水された洗浄水の主流ｍの一部ｍ１は、ボウル部８の前方側から凹部２０に主流Ｍとして流入する第１吐水口２２からの洗浄水に合流し、主流Ｍと共に前方側から凹部２０に流入する。
【００４１】
さらに、凹部２０内に流入する洗浄水の横方向の流れｍは、凹部２０の左側壁面３８ａの上方付近から左側壁面３８ａに沿って前側底面４０に潜り込む。この凹部２０内に潜り込んだ洗浄水の流れｍは、凹部２０の前側底面４０から右側壁面３８ｂに沿って上方に旋回し、上下方向に溜水を効果的に攪拌させる流れを形成するようになっている。そして、この第２吐水口２４からの洗浄水の流れｍは、第１吐水口２２から吐水されて前方側から凹部２０に流入する大流量の主流Ｍに合流する。このとき、第２吐水口２４から吐水された洗浄水の流れｍは、前側底面４０に衝突して上昇し、その上方を流れる主流Ｍ１，Ｍ２と混合される。これにより、汚物が効果的に攪拌され、導水管路３２内にスムーズに流入することになる。
【００４２】
上述した本発明の一実施形態による水洗大便器１によれば、第１吐水口２２から吐水された洗浄水がボウル部８の前方側から凹部２０に主流Ｍとして流入し、この凹部２０に流入した主流Ｍに対して、第２吐水口２４から吐水された洗浄水の大半が主流ｍとして凹部２０の横方向から合流するため、凹部２０内の溜水を上下方向に効果的に攪拌することができる。したがって、ボウル部８の汚物受け面１６について、第１吐水口２２及び第２吐水口２４のそれぞれから吐水された洗浄水で十分に洗浄することができ、凹部２０内で上下方向に攪拌する流れｍを発生させることができる。これらの結果、ボウル部８内の浮遊系汚物を溜水内に沈めて排水管路内へと効率よく排出することができ、汚物排出性能を向上させることができる。
【００４３】
また、本実施形態による水洗大便器１によれば、ボウル部８の汚物受け面１６が、第２吐水口２４の下流付近における後方側領域に棚状に形成された後方側汚物受け面を備えており、この棚状に形成された後方側汚物受け面１６ａの幅Ｌと第２吐水口２４の最大の幅寸法ｗ２との比Ｌ／ｗ２が２〜１０となっているため、第２吐水口２４から吐水された洗浄水は、後方側汚物受け面１６ａを流れることにより凹部２０の前方側領域へと導かれる。よって、第１吐水口２２からの主流Ｍに対して第２吐水口２４からの洗浄水を凹部２０の横方向から確実に合流させることができ、凹部２０内の溜水を上下方向に効果的に攪拌することができる。したがって、ボウル部８の汚物受け面１６について、第１吐水口２２及び第２吐水口２４のそれぞれから吐水された洗浄水で十分に洗浄することができ、凹部２０内で上下方向に攪拌する流れｍを発生させることができる。これらの結果、ボウル部８内の浮遊系汚物を溜水内に沈めて排水管路１２内へと効率よく排出することができ、汚物排出性能を向上させることができる。
【００４４】
さらに、本実施形態による水洗大便器１によれば、平面視で凹部２０の前側領域に形成されている前側底面４０の面積Ａ１が溜水面の面積Ａ２の半分以上に設定されていることにより、第２吐水口２４から吐水された洗浄水の主流ｍは、凹部２０の左側壁面３８ａから前側底面４０に潜り込み、凹部２０の右側壁面３８ｂに沿って上下方向に溜水を攪拌させる流れを効果的に形成することができる。したがって、ボウル部８の汚物受け面１６の全体について、第１吐水口２２及び第２吐水口２４のそれぞれから吐水された洗浄水で十分に洗浄することができ、凹部２０内で上下方向に攪拌する流れｍを発生させることができる。これらの結果、ボウル部８内の浮遊系汚物を溜水内に沈めて排水管路１２内へと効率よく排出することができ、汚物排出性能を向上させることができる。
【００４５】
また、本実施形態による水洗大便器１によれば、第１吐水口２２から吐水された洗浄水の主流Ｍがリム部１８の内周面１８ａに沿って旋回するための導水路３０がボウル部８に形成され、この導水路３０が、第１吐水口２２からボウル部８の前方端に向かって下方へ徐々に傾斜し、この前方端から後方側に向かって上方へ徐々に傾斜するように形成されていることにより、第１吐水口２２からの洗浄水をボウル部８の前方側から凹部２０に主流Ｍとして効果的に流入させることができる。
【００４６】
さらに、本実施形態による水洗大便器１によれば、図９及び図１０に示すように、汚物受け面１６が、その後方側汚物受け面１６ａの中央部Ｃ１付近からボウル部８の前方端に向かって下方へ徐々に傾斜し、この前方端から後方側に向かって上方へ徐々に傾斜するように形成されていることにより、第１吐水口２２から吐水され、ボウル部８の前方側から凹部２０に主流Ｍとして流入する洗浄水に加えて、第２吐水口２４から吐水された洗浄水の主流ｍの一部ｍ１についても前方側から凹部２０に流入させることができる。
【００４７】
また、本実施形態による水洗大便器１によれば、第１吐水口２２の開口断面Ｄ１が、縦長の扁平形状に形成されていることにより、第１吐水口２２から吐水される洗浄水が汚物受け面１６に落ちてしまうことがなく、ボウル部８の前方端まで旋回することができ、前方側から凹部２０に流入する主流Ｍを効果的に形成することができる。
【００４８】
なお、上述した本実施形態による水洗大便器１においては、例として、洗い落し式の水洗大便器について説明したが、サイホン作用を利用してボウル部内の汚物を吸い込んで排水トラップ管路から一気に外部に排出する、いわゆる、サイホン式の水洗大便器であってもよい。
【符号の説明】
【００４９】
１    水洗大便器
２    便器本体
４    貯水タンク
６    便器本体のスカート部
８    便器本体のボウル部
１０    共通通水路
１２    排水管路
１４    排水弁
１６    汚物受け面
１６ａ  後方側汚物受け面
１６ｂ  前方側汚物受け面
１８    リム部
１８ａ  内周面
２０    凹部
２２    第１吐水口（第１リム吐水部）
２４    第２吐水口（第２リム吐水部）
２６    第１通水路
２８    第２通水路
３０    導水路
３２    導水管路
３２ａ  入口
３４    排水トラップ管路
３４ａ  上昇管路
３４ｂ  下降管路
３６    底面
３８    壁面
３８ａ  左側壁面
３８ｂ  右側壁面
４０    前側底面
４２    後側底面
４２ａ  下端
Ａ１  凹部の前側底面の面積
Ａ２  溜水面の面積
Ｃ    後方側汚物受け面の中央部
Ｄ１  第１吐水口の開口断面
Ｄ２  第２吐水口の開口断面
ｈ１  第１吐水口の開口断面の最大の縦寸法
ｈ２  第２吐水口の開口断面の最大の縦寸法
Ｌ    後方側汚物受け面の中央部の前後方向の幅
Ｍ    第１吐水口から吐水された洗浄水の主流
Ｍ１  第１吐水口から吐水された洗浄水の主流の一部
Ｍ２  第１吐水口から吐水された洗浄水の主流の他の一部
ｍ    第２吐水口から吐水された洗浄水の主流
ｍ１  第２吐水口から吐水された洗浄水の主流の一部
Ｓ    溜水面
Ｗ    溜水水位
ｗ１  第１吐水口の開口断面の最大の幅寸法
ｗ２  第２吐水口の開口断面の最大の幅寸法（第２リム吐水部の幅）
【図１】
2018013037.tif 000003
【図２】
2018013037.tif 000004
【図３】
2018013037.tif 000005
【図４】
2018013037.tif 000006
【図５】
2018013037.tif 000007
【図６】
2018013037.tif 000008
【図７】
2018013037.tif 000009
【図８】
2018013037.tif 000010
【図９】
2018013037.tif 000011
【図１０】
2018013037.tif 000012
【図１１】
2018013037.tif 000013
【図１２】
2018013037.tif 000014
【図１３】
2018013037.tif 000015
【図１４】
2018013037.tif 000016
【図１５】
2018013037.tif 000017
【図１６】
2018013037.tif 000018